(57)【要約】  本発明は、液晶表示画素構成及び液晶表示デバイスを開示しており、液晶表示画素構成は、画素開口領域内に位置している１つの画素電極（Ｐ１）であって、電位が同一である少なくとも２つの表示エリアを有し、前記少なくとも２つの表示エリアが上下配列される前記１つの画素電極（Ｐ１）と、１つのゲート信号線（Ｇ１）であって、前記少なくとも２つの表示エリアの境目に位置し、前記少なくとも２つの表示エリア境目の縁のいずれもに重なる前記１つのゲート信号線（Ｇ１）と、前記画素開口領域の縁に配置される１つのデータ信号線（Ｄ１）と、１つのトランジスタ（Ｔ１）であって、前記画素電極（Ｐ１）前記トランジスタ（Ｔ１）を介して前記ゲート信号線（Ｇ１）及び前記データ信号線（Ｄ１）により制御される。画素の開口領域がゲート信号線に仕切られ、仕切られた表示エリア境目の縁のいずれもゲート信号線に重なり、ゲート信号線の遮光機能を介して、液晶パネルが正常に作動するときにダークストライプが形成されることが回避され、画素の開口率及び透過率が向上される。
2019517683.tif 000002
【特許請求の範囲】
【請求項１】
液晶表示画素構成であって、
画素開口領域内に位置している画素電極であって、電圧同一且つ当該画素電極の延伸方向が異なる、上下配列されている少なくとも２つの表示エリアを有する、画素電極と、
前記少なくとも２つの表示エリアの境目に位置し、前記少なくとも２つの表示エリアの境目の縁の何れもに重なるゲート信号線と、
前記画素開口領域の縁に配置されているデータ信号線と、
トラジスタであって、前記画素電極が当該トラジスタを介して前記ゲート信号線及び前記データ信号線により制御されている、トラジスタとを含む、液晶表示画素構成。
【請求項２】
液晶表示画素構成であって、
画素開口領域内に位置している画素電極であって、上下配列されている少なくとも２つの表示エリアを有する画素電極と、
前記少なくとも２つの表示エリアの境目に位置し、前記少なくとも２つの表示エリア境目の縁の何れもに重なるゲート信号線と、
前記画素開口領域の縁に配置されているデータ信号線と、
トラジスタであって、前記画素電極が当該トラジスタを介して前記ゲート信号線及び前記データ信号線により制御されている、トラジスタとを含む、液晶表示画素構成。
【請求項３】
前記少なくとも２つの表示エリアにおいては、画素電極の延伸方向が異なる請求項２に記載の液晶表示画素構成。
【請求項４】
前記少なくとも２つの表示エリアは、電位が同一である請求項２に記載の液晶表示画素構成。
【請求項５】
液晶表示デバイスであって、
水平方向に延伸している複数本のゲート信号線と、垂直方向に延伸している複数本のデータ信号線とがアレイとなるように交差して、複数の画素エリアが定義されており、
画素エリアごとに、請求項２〜４のいずれか１項に記載の液晶表示画素構成が含まれる、液晶表示デバイス。
【請求項６】
隣接している２つ画素エリアの間の領域は、空白またはコモン電極線が配置された領域である、請求項５に記載の液晶表示デバイス。
【請求項７】
液晶表示画素構成であって、
前記画素開口領域の縁に配置されているデータ信号線と、
画素開口領域内に位置している画素電極であって、少なくとも４つの表示エリアを有し、前記画素電極の第１表示エリア及び第２表示エリアが左右配列され、前記画素電極の第３表示エリア及び第４表示エリアが左右配列され、前記少なくとも４つの表示エリアの電位が同一であり、かつ前記第１表示エリア、前記第２表示エリア、前記第３表示エリア及び前記第４表示エリアの液晶分子がそれぞれ前記データ信号線に対して４５度、１３５度、２２５度及び３１５度となる方向に回転する、前記画素電極と、
ゲート信号線であって、前記第１表示エリア及び前記第２表示エリアが当該ゲート信号線の上に配置され、前記第１表示エリア及び前記第２表示エリアの下縁がいずれも当該ゲート信号線に重なり、前記第３表示エリア及び前記第４表示エリアが当該ゲート信号線の下に配置され、前記第３表示エリア及び前記第４表示エリアの上縁がいずれも当該ゲート信号線に重なる、ゲート信号線と、
トラジスタであって、前記画素電極が当該トラジスタを介して前記ゲート信号線及び前記データ信号線により制御されている、トラジスタとを含む、液晶表示画素構成。
【請求項８】
コモン電極線をさらに含み、
前記第１表示エリア及び前記第２表示エリアが前記ゲート信号線の上に配置され、前記第１表示エリア及び前記第２表示エリアの下縁がいずれも前記ゲート信号線に重なり、前記第３表示エリア及び前記第４表示エリアが前記コモン電極線の下に配置され、前記第３表示エリア及び前記第４表示エリアの上縁がいずれも前記コモン電極線に重なる、請求項7に記載の液晶表示画素構成。
【請求項９】
液晶表示画素構成であって、
画素開口領域内に位置している画素電極であって、少なくとも４つの表示エリアを有し、当該画素電極の第１表示エリア及び第２表示エリアが左右配列され、当該画素電極の第３表示エリア及び第４表示エリアが左右配列される、画素電極と、
ゲート信号線であって、前記第１表示エリア及び前記第２表示エリアが当該ゲート信号線の上に位置され、前記第１表示エリア及び前記第２表示エリアの下縁が何れも当該ゲート信号線に重なり、前記第３表示エリア及び前記第４表示エリアが当該ゲート信号線の下に配置され、前記第３表示エリア及び前記第４表示エリアの上縁がいずれも当該ゲート信号線に重なる、ゲート信号線と、
前記画素開口領域の縁に配置されるデータ信号線と、
トラジスタであって、前記画素電極が当該トラジスタを介して前記ゲート信号線及び前記データ信号線により制御されている、トラジスタとを含む、液晶表示画素構成。
【請求項１０】
前記第１表示エリア、前記第２表示エリア、前記第３表示エリア及び前記第４表示エリアの液晶分子がそれぞれ前記データ信号線に対して４５度、１３５度、２２５度及び３１５度となる方向に回転する請求項９に記載の液晶表示画素構成。
【請求項１１】
前記少なくとも４つの表示エリアは、電位が同一である請求項９に記載の液晶表示画素構成。
【請求項１２】
コモン電極線をさらに含み、
前記第１表示エリア及び前記第２表示エリアが前記ゲート信号線の上に配置され、前記第１表示エリア及び前記第２表示エリアの下縁がいずれも前記ゲート信号線に重なり、前記第３表示エリア及び前記第４表示エリアが前記コモン電極線の下に配置され、前記第３表示エリア及び前記第４表示エリアの上縁がいずれも前記コモン電極線に重なる請求項９に記載の液晶表示画素構成。
【請求項１３】
液晶表示デバイスであって、
水平方向に延伸している複数本のゲート信号線と、垂直方向に延伸している複数本のデータ信号線とがアレイとなるように垂直に交差して、複数の画素エリアが定義されており、
画素エリアごとに、請求項９〜１２の何れか１項に記載の液晶表示画素構成が含まれる、液晶表示デバイス。
【請求項１４】
隣接している２つ画素エリアの間の領域は、空白またはコモン電極線が配置された領域である請求項１３に記載の液晶表示デバイス。
【発明の詳細な説明】
【技術分野】
【０００１】
本発明は、液晶表示分野に関し、特に、画素開口率及び透過率を向上させることができる液晶表示画素構成及び液晶表示デバイスに関する。
【背景技術】
【０００２】
薄膜電界効果トランジスタの液晶ディスプレー（ＴｈｉｎＦｉｌｍＴｒａｎｓｉｓｔｏｒ−ＬｉｑｕｉｄＣｒｙｓｔａｌＤｉｓｐｌａｙ，ＴＦＴ−ＬＣＤ）の液晶パネルの設計においては、より良い大視野角特性を取得するために、画素開口領域が１つのみである場合に側面から見て青っぽくまたは黄色っぽく見える現象が発生する問題を回避するように、画素設計の際に画像の開口領域を幾つかの領域に分けることが多い。現在の液晶パネル技術では、ＦＦＳ（ＦｒｉｎｇｅＦｉｅｌｄＳｗｉｔｃｈｉｎｇ，フリンジフィールドスイッチング）/ＩＰＳ（Ｉｎ−ＰｌａｎｅＳｗｉｔｃｈｉｎｇ，面内スイッチング）モードの液晶パネルは、大視野角特性良好、開口率/透過率向上などのメリットを有するため、既に広く採用されている。
【０００３】
図１は、既存のＦＦＳモードの液晶パネル画素構成の模式図である。ＦＦＳモードの液晶パネル１０は、表示領域内部において、水平方向に延伸しているゲート信号線（ＧａｔｅＬｉｎｅ）Ｇ１と、垂直方向に延伸しているデータ信号線（ＤａｔｅＬｉｎｅ）Ｄ１とが互いに交互配列されて、複数の画素エリアが定義される。画素エリアごとの開口領域１２（図１に符号１２で示された点線枠部）に一つの画素電極Ｐ１（Ｐｉｘｅｌｅｌｅｃｔｒｏｄｅ）が含まれる。開口領域１２は、上、下の２つの表示エリア（１ｓｔＤｏｍａｉｎ,２nｄＤｏｍａｉｎ）に分けられ、画素電極Ｐ１が２つの表示エリアを有する。データ信号線Ｄ１が開口領域１２の縁（図１に示すように、Ｄ１が開口領域１２の左側に位置）に配置されており、画素電極Ｐ１の２つの表示エリア（１ｓｔ−２nｄＤｏｍａｉｎ）がゲート信号線Ｇ１の同一側（図１に示すように、１ｓｔ−２nｄＤｏｍａｉｎは、いずれもＧ１の上に位置）に位置しており、ＴＦＴトランジスタT１が、スイッチとして、画素電極Ｐ１の信号書き込みを制御する。２つの表示エリア（１ｓｔ−２nｄＤｏｍａｉｎ）における画素電極Ｐ１の延伸方向は異なる。図に示すように、２つの表示エリアの液晶分子がそれぞれ時計回りおよび反時計回りに回転するものである。この特性を利用してＦＦＳモードの液晶パネルの大視野角特性を改善する。２つの表示エリア（１ｓｔ−２nｄＤｏｍａｉｎ）の境目１４（図１に符号１４で示された点線枠部）において、液晶分子の回転方向が反対であり、液晶パネルが正常に作動している場合、当該境目で異なる向きに回転している液晶分子が互いに押し合って、最終的に、開口領域１２に１本のダークストライプが形成され、画素の透過率が一定の損失を有するに至り、開口率および透過率の向上に不利である。
【０００４】
図２は、既存のＨＶＡモードの液晶パネル画素構成の模式図である。ＨＶＡ(ＨｉｇｈＶｅｒｔｉｃａｌＡｌｉｇｎｍｅｎｔ、ハーイ垂直方向の配置)モードの液晶パネル２０は、表示領域内において、水平方向に延伸しているゲート信号線Ｇ１と垂直方向に延伸しているデータ信号線Ｄ１とがアレイとなるように垂直に交差して、複数の画素エリアが定義される。画素エリアごとの開口領域２２に１つの画素電極Ｐ１が含まれる。画素電極Ｐ１は、全体的に「米」字状になり、画素電極Ｐ１のメイン位置は水平方向と垂直方向とが交差されたものであり、全体の画素電極Ｐ１を４つの表示エリア（１ｓｔ−４ｔｈＤｏｍａｉｎ）に分ける（即ち、開口領域２２は４つの表示エリアに分けられる）。データ信号線Ｄ１が開口領域２２の縁（図２に示すように、Ｄ１が開口領域２２の左側に位置）に配置され、画素電極Ｐ１の４つの表示エリア（１ｓｔ−４ｔｈＤｏｍａｉｎ）がゲート信号線Ｇ１の同一側（図２に示すように、１ｓｔ−４ｔｈＤｏｍａｉｎはＧ１の上）に位置しており、ＴＦＴトランジスタT１がコモン電極ＣＯＭ１上に設けられてスイッチングとして画素電極Ｐ１の信号書き込みを制御する。４つの表示エリア（１ｓｔ−４ｔｈＤｏｍａｉｎ）において、液晶分子がそれぞれ４５度、１３５度、２２５度及び３１５度の方向に回転する。この特性を利用してＨＶＡモードの液晶パネルの大視野角特性を改善する。ただし、図１に示すＦＦＳモードの液晶パネルの作動原理と同様、４つの表示エリアの境目、即ち、画素電極Ｐ１のメイン位置（図２に符号２４、２６で示された点線枠部）において、液晶分子がそれぞれ異なる向きに回転する。液晶パネルが正常に作動している場合、当該境目で異なる向きに回転している液晶分子が互いに押し合って、最終的に、開口領域１２に１本のダークストライプが形成され、画素の透過率が一定の損失を有するに至り、開口率および透過率の向上に不利である。
【０００５】
そこで、液晶パネル画素の開口率及び透過率を向上し、液晶パネルの表示品質を向上する新液晶表示画素構成の提供が迫って期待されている。
【発明の概要】
【発明が解決しようとする課題】
【０００６】
本発明は、既存の液晶表示画素構成に比べ液晶パネルの画素の開口率及び透過率を向上し、液晶パネルの表示品質を向上できる液晶表示画素構成及び液晶表示デバイスを提供することを目的とする。
【課題を解決するための手段】
【０００７】
上記の目的を実現するように、本発明は、液晶表示画素構成を提供し、画素開口領域内に位置している画素電極であって、上下配列されている少なくとも２つの表示エリアを有する前記画素電極と、前記少なくとも２つの表示エリアの境目に位置し、前記少なくとも２つの表示エリアの境目の縁の何れもに重なるゲート信号線と、前記画素開口領域の縁に配置されているデータ信号線と、トラジスタであって、前記画素電極が当該トラジスタを介して前記ゲート信号線及び前記データ信号線により制御されているトラジスタとを含む。
【０００８】
上記目的を実現するために、本発明は、液晶表示デバイスをさらに提供し、水平方向に延伸している複数本のゲート信号線と垂直方向に延伸している複数本のデータ信号線とがアレイとなるように交差して、複数の画素エリアが定義されており、画素エリアごとに、本発明に記載の液晶表示画素構成が含まれる。
【０００９】
上記目的を実現するために、本発明は、液晶表示画素構成を提供し、画素開口領域内に位置している画素電極であって、少なくとも４つの表示エリアを有し、前記画素電極の第１表示エリア及び第２表示エリアが左右配列され、前記画素電極の第３表示エリア及び第４表示エリアが左右配列される前記画素電極と、ゲート信号線であって、前記第１表示エリア及び前記第２表示エリアが当該ゲート信号線の上に配置され、前記第１表示エリア及び前記第２表示エリアの下縁がいずれも当該ゲート信号線に重なり、前記第３表示エリア及び前記第４表示エリアが当該ゲート信号線の下に配置され、前記第３表示エリア及び前記第４表示エリアの上縁がいずれも当該ゲート信号線に重なる、ゲート信号線と、前記画素開口領域の縁に配置されているデータ信号線と、トラジスタであって、前記画素電極が当該トラジスタを介して前記ゲート信号線及び前記データ信号線により制御されている、トラジスタとを含む。
【００１０】
上記目的を実現するために、本発明は、液晶表示デバイスをさらに提供し、水平方向に延伸している複数本のゲート信号線と、垂直方向に延伸している複数本のデータ信号線とがアレイとなるように垂直に交差して、複数の画素エリアが定義されており、画素エリアごとに本発明に記載の液晶表示画素構成が含まれる。
【発明の効果】
【００１１】
本発明のメリットは以下の通りである。本発明による液晶表示画素構成及び液晶表示デバイスによれば、画素の開口領域がゲート信号線により仕切られ、仕切られた表示エリア境目の縁（即ち、画素開口領域の境界線）がゲート信号線に重なり、ゲート信号線自身が非透光構成であるため、画素開口領域境界線に重ねても開口率及び透過率に影響しない。各表示エリアにおける液晶分子の回転の不規則部分がいずれもゲート信号線に重なり、ゲート信号線自身が非透光の金属材料から作成されたことによる遮光機能を介して、液晶パネルの正常作動時に画素開口領域内にダークストライプが形成されることが回避され、画素の開口率及び透過率が向上される。さらに、液晶分子の回転の異常部分が非透光のゲート信号線に遮蔽されるため、液晶パネルが押圧されたときに２つの表示エリア境目に表示異常が発生する恐れを回避することもできる。液晶パネルの表示品質がさらに向上される。また、隣接している２つの画素エリアの間の領域は空白領域でもよく、ＣＯＭ電極線を配置してもよいため、開口率及び配線設計柔軟性に顕著に有利である。本発明にかかる液晶表示画素構成及び液晶表示デバイスは、ＦＦＳ/ＩＰＳモードの液晶パネル及びＨＶＡモードの液晶パネルに適用されることができる。
【図面の簡単な説明】
【００１２】
【図１】既存のＦＦＳモードの液晶パネル画素構成の模式図。
【図２】既存のＨＶＡモード液晶パネル画素構成の模式図。
【図３】本発明の一実施例にかかる前記液晶表示デバイスの画素構成の模式図。
【図４】図３に示す実施例におけるＡ領域の拡大模式図。
【図５】本発明の別実施例にかかる液晶表示デバイスの画素構成の模式図。
【図６】図５に示す実施例におけるＢ領域の拡大模式図。
【発明を実施するための形態】
【００１３】
以下、図面を参照しながら本発明にかかる液晶表示画素構成及び液晶表示デバイスを詳細に説明する。
【００１４】
図３、図４を参照し、図３は本発明の一実施例にかかる液晶表示デバイスの画素構成の模式図であり、図４は図３に示す実施例におけるＡ領域の拡大模式図である。本実施例は、ＦＦＳ/ＩＰＳモードの液晶パネルに適用される。前記液晶表示デバイス３０は、水平方向に延伸している複数本のゲート信号線Ｇ１と垂直方向に延伸している複数本のデータ信号線Ｄ１とがアレイとなるように交差して、複数の画素エリア３１が定義されており、画素エリア３１ごとに液晶表示画素構成が含まれる。前記液晶表示画素構成は、画素電極Ｐ１、ゲート信号線Ｇ１、データ信号線Ｄ１及びトランジスタT１を含む。なお、画素電極Ｐ１が少なくとも２つの表示エリアを有する。
【００１５】
画素電極Ｐ１が画素開口領域内に位置しており、画素電極Ｐは、液晶パネルを大視野角で見たときに色が黄色っぽくまたは青っぽく見える問題を回避するように２つの表示エリア１ｓｔＤｏｍａｉｎ及び２nｄＤｏｍａｉｎを有する。２つの表示エリア（１ｓｔ−２nｄＤｏｍａｉｎ）は、上下配列されている。
【００１６】
ゲート信号線Ｇ１が位于２つの表示エリア（１ｓｔ−２nｄＤｏｍａｉｎ）の境目に位置し、境目の縁の何れもゲート信号線Ｇ１に重なる。つまり、画素開口領域がゲート信号線Ｇ１に仕切られ、仕切られた表示エリア境目の縁（即ち画素開口領域境界線）がゲート信号線Ｇ１に重なる。図４に示すように、表示エリア１ｓｔＤｏｍａｉｎの下縁４１がゲート信号線Ｇ１に重なり、表示エリア２nｄＤｏｍａｉｎの上縁４２がゲート信号線Ｇ１に重なる。つまり、２つの表示エリアにおける液晶分子の回転不規則の部分のいずれもをゲート信号線に重ねて、ゲート信号線自身が非透光の金属材料から作成されたことによる遮光機能を介して、液晶パネルが正常に作動しているときに画素開口領域内にダークストライプが形成されることが回避され、画素の開口率及び透過率が向上される。さらに、液晶分子の回転の異常部分が非透光のゲート信号線に遮蔽されるため、液晶パネルが押圧されたときに２つの表示エリア境目に表示異常が発生する恐れを回避することもできる。液晶パネルの表示品質がさらに向上される。
【００１７】
データ信号線Ｄ１が画素開口領域の縁（図３に示すように、Ｄ１が画素開口領域の左側に位置）に配置されている。本発明は、画素電極ごとに１本のデータ信号線のみが配置され、かつデータ信号線が画素電極を貫通することはなく画素電極の両側（本実施例におけるデータ信号線が左側）に位置しているため、データ信号線の増加に伴った寄生容量の大幅増加や駆動ＩＣの温度上昇、信頼線が影響される問題が回避される。
【００１８】
画素電極Ｐ１がトランジスタT１を介してゲート信号線Ｇ１及びデータ信号線Ｄ１により制御される。つまり、１つの画素エリア内に１つのＴＦＴのみを有し、トランジスタで占められた面積が一層小さくなり、液晶パネルの透過率が効率的に向上される。
【００１９】
本実施例では、２つの表示エリア（１ｓｔ−２nｄＤｏｍａｉｎ）に画素電極Ｐ１の延伸方向が異なり、液晶パネルが点灯して作動しているときに２つの表示エリアにおける液晶分子がそれぞれ時計回り及び反時計回りに回転する。この特性を利用して、ＦＦＳ/ＩＰＳモードの液晶パネルの大視野角特性を改善し、液晶パネルを側方から見たときに現した青っぽくまたは黄色っぽくなる現象が回避される。本実施例では、画素電極Ｐ１の前記少なくとも２つの表示エリアは電位が同一である。
【００２０】
本実施例では、隣接している２つの画素エリアの間の領域３３は空白領域である。他の実施形態では、隣接している２つの画素エリアの間の領域３３はコモン電極線が配置されてもよい。よって、配線設計の柔軟性が効果的に向上される。
【００２１】
図５、図６を参照し、そのうち図５は本発明の別実施例にかかる液晶表示デバイスの画素構成の模式図であり、図６は図５に示す実施例におけるＢ領域の拡大模式図である。本実施例では、ＨＶＡモードの液晶パネルに適用される。前記液晶表示デバイス５０は、水平方向に延伸している複数本のゲート信号線Ｇ１と垂直方向に延伸している複数本のデータ信号線Ｄ１とがアレイとなるように垂直に交差して、複数の画素エリア５１が定義されており、画素エリア５１ごとに１つの液晶表示画素構成が含まれる。本実施例では、前記液晶表示画素構成は、１つの画素電極Ｐ１、１つのゲート信号線Ｇ１、１つのコモン電極線ＣＯＭ１、１つのデータ信号線Ｄ１以及び１つのトランジスタT１を含む。なお、画素電極Ｐ１は、少なくとも４つの表示エリアを有する。
【００２２】
画素電極Ｐ１が画素開口領域内に位置し、大視野角で液晶パネルを見たときに色が黄色っぽくまたは青っぽくなる現象が回避されるように、画素電極Ｐ１が４つの表示エリア１ｓｔＤｏｍａｉｎ、２nｄＤｏｍａｉｎ、３ｒｄＤｏｍａｉｎ及び４ｔｈＤｏｍａｉｎを有する。なお、第１表示エリア及び第２表示エリア（１ｓｔ−２nｄＤｏｍａｉｎ）が左右配列され、第３表示エリア及び第４表示エリア（３ｒｄ−４ｔｈＤｏｍａｉｎ）が左右配列されている。
【００２３】
ゲート信号線Ｇ１は、第１、第２表示エリア（１ｓｔ−２nｄＤｏｍａｉｎ）がゲート信号線Ｇ１の上に配置され、第１、第２表示エリア（１ｓｔ−２nｄＤｏｍａｉｎ）の下縁のいずれもゲート信号線Ｇ１に重なる。
【００２４】
コモン電極線ＣＯＭ１は、第３、第４表示エリア（３ｒｄ−４ｔｈＤｏｍａｉｎ）がコモン電極線ＣＯＭ１の下に配置され、第３、第４表示エリア（３ｒｄ−４ｔｈＤｏｍａｉｎ）の上縁のいずれもコモン電極線ＣＯＭ１に重なる。
【００２５】
即ち、画素開口領域がゲート信号線Ｇ１及びコモン電極線ＣＯＭ１に仕切られており、ゲート信号線Ｇ１及びコモン電極線ＣＯＭ１が、第１、第２表示エリア（１ｓｔ−２nｄＤｏｍａｉｎ）と第３、第４表示エリア（３ｒｄ−４ｔｈＤｏｍａｉｎ）との境目に位置し、境目の縁のそれぞれがゲート信号線Ｇ１及びコモン電極線ＣＯＭ１に重なる。
【００２６】
図６に示すように、境目において、第１、第２表示エリア（１ｓｔ−２nｄＤｏｍａｉｎ）の下縁６１がゲート信号線Ｇ１に重なり、第３、第４表示エリア（３ｒｄ−４ｔｈＤｏｍａｉｎ）の上縁６２がコモン電極線ＣＯＭ１に重なる。このように、各表示エリアにおける液晶分子の回転不規則の部分のそれぞれをゲート信号線及びコモン電極線に重ねて、ゲート信号線及びコモン電極線自身が非透光の金属材料から作成されたことによる遮光機能を介して、液晶パネルが正常に作動しているときに画素開口領域内にダークストライプが形成されることが回避され、画素の開口率及び透過率が向上される。さらに、液晶分子の回転の異常部分が非透光のゲート信号線に遮蔽されるため、液晶パネルが押圧されたときに異なる表示エリア境目に表示異常が発生する恐れを回避することもできる。液晶パネルの表示品質がさらに向上される。
【００２７】
他の実施形態では、前記液晶表示画素構成は、画素電極Ｐ１、ゲート信号線Ｇ１、データ信号線Ｄ１以及びトランジスタＴ１を含んでもよい。なお、画素電極Ｐ１は、少なくとも４つの表示エリアを有する。ゲート信号線Ｇ１、第１、第２表示エリア（１ｓｔ−２nｄＤｏｍａｉｎ）がゲート信号線Ｇ１の上に配置され、第１、第２表示エリア（１ｓｔ−２nｄＤｏｍａｉｎ）の下縁のいずれもゲート信号線Ｇ１に重なり、第３、第４表示エリア（３ｒｄ−４ｔｈＤｏｍａｉｎ）がゲート信号線Ｇ１の下に配置され、第３、第４表示エリア（３ｒｄ−４ｔｈＤｏｍａｉｎ）の上縁のいずれも前記ゲート信号線Ｇ１に重なる。つまり、画素開口領域がゲート信号線Ｇ１に仕切られ、ゲート信号線Ｇ１が第１、第２表示エリア（１ｓｔ−２nｄＤｏｍａｉｎ）と第３、第４表示エリア（３ｒｄ−４ｔｈＤｏｍａｉｎ）との境目に位置し、かつ境目の縁の何れもゲート信号線Ｇ１に重なる。このように、各表示エリアにおける液晶分子の回転不規則の部分のいずれもゲート信号線に重ねて、ゲート信号線自身が非透光の金属材料から作成されたことによる遮光機能を介して、液晶パネルが正常に作動しているときに画素開口領域内にダークストライプが形成されることが回避され、画素の開口率及び透過率が向上される。さらに、液晶分子の回転の異常部分が非透光のゲート信号線に遮蔽されるため、液晶パネルが押圧されたときに異なった表示エリア境目に表示異常が発生する恐れを回避することもできる。液晶パネルの表示品質がさらに向上される。
【００２８】
データ信号線Ｄ１が画素開口領域の縁に配置されている（図５に示すように、Ｄ１が画素開口領域の左側に位置する）。本発明は画素電極ごとに１本のデータ信号線のみが配置されており、データ信号線が画素電極を貫通することはなく画素電極の両側（本実施例におけるデータ信号線が左側に位置）に位置しているため、データ信号線の増加に伴った寄生容量の大幅増加や駆動ＩＣの温度上昇、信頼線が影響される問題が回避される。
【００２９】
画素電極Ｐ１がトランジスタＴ１を介してゲート信号線Ｇ１及びデータ信号線Ｄ１により制御される。つまり、１つの画素エリア内に１つのＴＦＴのみを有し、トランジスタで占められた面積が一層小さくなり、液晶パネルの透過率が効率的に向上される。
【００３０】
本実施例では、４つの表示エリア（１ｓｔ−４ｔｈＤｏｍａｉｎ）における画素電極Ｐ１の延伸方向が異なり、液晶パネルが点灯して作動しているときに、第１表示エリア１ｓｔＤｏｍａｉｎにおける液晶分子がデータ信号線Ｄ１に対して４５度となる方向に回転し、第２表示エリア２nｄＤｏｍａｉｎにおける液晶分子がデータ信号線Ｄ１に対して１３５度となる方向に回転し、第３表示エリア３ｒｄＤｏｍａｉｎにおける液晶分子がデータ信号線Ｄ１に対して２２５度となる方向に回転し、第４表示エリア４ｔｈＤｏｍａｉｎにおける液晶分子がデータ信号線Ｄ１に対して３１５度となる方向に回転する。４つの表示エリア（１ｓｔ−４ｔｈＤｏｍａｉｎ）における画素電極Ｐ１の延伸方向が異なるという特性を利用してＨＶＡモードの液晶パネルの大視野角特性を改善し、液晶パネルを側方から見たときに現した青っぽくまたは黄色っぽくなる現象が回避される。本実施例において、画素電極Ｐ１の前記少なくとも４つの表示エリアは電位が同一である。
【００３１】
本実施例では、隣接している２つの画素エリアの間の領域５３は空白領域である。他の実施形態にでは、隣接している２つの画素エリアの間の領域５３は、コモン電極線が配置されてもよい。よって、配線設計の柔軟性が効果的に向上される。
【００３２】
上記は本発明の好ましい実施形態に過ぎず、当業者にとって、本発明の原理を逸脱しない前提で、若干の改進や修飾を行うことができることを言うまでもない。これらの改進や修飾は、本発明の保護範囲に該当すると見なすべきある。
【図１】
2019517683.tif 000003
【図２】
2019517683.tif 000004
【図３】
2019517683.tif 000005
【図４】
2019517683.tif 000006
【図５】
2019517683.tif 000007
【図６】
2019517683.tif 000008
【国際調査報告】
2019517683.tif 000009
2019517683.tif 000010
2019517683.tif 000011
2019517683.tif 000012